(57)【要約】      （修正有）【課題】安定した着用状態で、より衛生面を向上させることが可能なマスクカバーを提供する。【解決手段】マスクＭの両面を覆って設けられるマスクカバー１であって、マスクＭの表面を覆う第一構成体１１と、第一構成体１１に連接され、マスクＭの裏面を覆うことで第一構成体１１と対向する第二構成体１２と、を備え、第一構成体１１は、マスクＭを第二構成体１２に向かって押圧する、押圧部材Ｐを有する。【選択図】図３
0003227953.tif 000002
【実用新案登録請求の範囲】
【請求項１】
マスクの両面を覆って設けられるマスクカバーであって、
前記マスクの表面を覆う第一構成体と、前記第一構成体に連接され、前記マスクの裏面を覆うことで前記第一構成体と対向する第二構成体と、を備え、
前記第一構成体は、前記マスクを前記第二構成体に向かって押圧する、押圧部材を有する、マスクカバー。
【請求項２】
前記押圧部材は、前記マスクの短辺寄りに設けられている、請求項１に記載のマスクカバー。
【請求項３】
前記押圧部材は、前記マスクの短辺方向に沿って延びるように設けられている、請求項２に記載のマスクカバー。
【請求項４】
前記押圧部材は、前記マスクの長辺方向に間隔を空けて一対設けられている、請求項２又は３に記載のマスクカバー。
【請求項５】
前記押圧部材は、可撓性の板状体であり、その端部が折曲げられることで、折曲げ部が設けられ、
前記折曲げ部は、前記第二構成体に向かって傾斜して設けられている、請求項１〜４の何れかに記載のマスクカバー。
【請求項６】
前記折曲げ部の曲げ角度は、鋭角である、請求項５に記載のマスクカバー。
【請求項７】
前記第一構成体と前記第二構成体との対向状態を保持する保持手段を備える、請求項１〜６の何れかに記載のマスクカバー。
【請求項８】
前記保持手段は、スナップボタンである、請求項７に記載のマスクカバー。
【請求項９】
前記押圧部材は、前記保持手段に取付けられている、請求項８に記載のマスクカバー。
【考案の詳細な説明】
【技術分野】
【０００１】
本考案は、マスクカバーに係るものである。
【背景技術】
【０００２】
従来から、風邪やインフルエンザ等の感染防止や花粉症への対策、保温・保湿目的といった多岐に亘る用途で、不織布等により形成された所謂サージカルマスクが、広く活用されてきた。
【０００３】
ところで、このようなサージカルマスクは、通常使い捨てであり、衛生面の点から、繰り返しの使用が望ましくないものである。
【０００４】
このため、サージカルマスクと共に、サージカルマスクの表面を覆って設けられるマスクカバーが用いられることがある。
このマスクカバーを用いることで、サージカルマスクの汚染を極力防止し、マスクカバーを洗浄するのみで、サージカルマスクの繰り返しの使用が可能となる。
【０００５】
特に現在では、昨今のコロナウイルスの蔓延により、マスク不足の解消やマスクに掛かる費用の低減が求められており、このことから、マスクカバーに対する需要が、全国的に増加している。
【０００６】
上記のような需要に対するアイデアとして、例えば、特許文献１には、布の本体を、マスクを挟むように折り返し線を折り、表面と裏面をマジックテープもしくはスナップなどで止めて、マスクとカバーとがずれないように固定される、マスクカバーに関する発明が記載されている。
【０００７】
また、特許文献２には、長方形状の布をかぶせることで、マスクの両面を覆って構成されて、マスク本体と布とを、それぞれに設けられた留め具同士を連結させることで固定される、マスクカバーに関する発明が記載されている。
【０００８】
また、特許文献３には、端辺に接着用剥離テープが設けられており、折り畳んだ際、この接着用剥離テープがマスクに貼り付けられることでマスクと連結される、マスクカバーに関する発明が記載されている。
【先行技術文献】
【特許文献】
【０００９】
【特許文献１】特開２０１３−１８４０４３号公報
【特許文献２】実公昭６１−９４０４５号公報
【特許文献３】実開平４−９５０５２号公報
【考案の概要】
【考案が解決しようとする課題】
【００１０】
しかしながら、特許文献１〜特許文献３に記載のマスクカバーは、何れもマスクに対する着脱手段が記載されているものの、実際に着用した際、マスク自体のたわみにより、マスクと着用者との間に隙間が生じることが懸念される。
【００１１】
このような着用状態となると、この隙間からウイルス等の細菌や粉塵等が入り込む、十分に保温・保湿が行われない、といった問題が生ずる。
【００１２】
本考案は上記のような実状に鑑みてなされたものであり、安定した着用感が得られ、より衛生面を向上させることが可能なマスクカバーを提供することを課題とする。
【課題を解決するための手段】
【００１３】
上記課題を解決するために、本考案は、マスクの両面を覆って設けられるマスクカバーであって、
前記マスクの表面を覆う第一構成体と、前記第一構成体に連接され、前記マスクの裏面を覆うことで前記第一構成体と対向する第二構成体と、を備え、
前記第一構成体は、前記マスクを前記第二構成体に向かって押圧する、押圧部材を有する。
【００１４】
本考案によれば、第一構成体と第二構成体マスクとの間にマスクが配置された状態で、押圧部材により、マスクが第二構成体に向かって押圧されることで、マスクが、着用者の顔に押圧されることとなる。
これにより、着用者の顔とマスクとの間の隙間が少なくなり、押圧による安定した着用感と共に、衛生面が向上する。
【００１５】
本考案の好ましい形態では、前記押圧部材は、前記マスクの短辺寄りに設けられている。
【００１６】
このような構成とすることで、押圧部材がマスクの短辺を押圧し、着用時に最もたわむマスクの短辺を頬に密着させ隙間を少なくすることができ、より衛生面が向上させることが可能となる。
【００１７】
本考案の好ましい形態では、前記押圧部材は、前記マスクの短辺方向に沿って延びるように設けられている。
【００１８】
このような構成とすることで、より効果的にマスクの短辺と頬との間の隙間を減少させることが可能となる。
【００１９】
本考案の好ましい形態では、前記押圧部材は、前記マスクの長辺方向に間隔を空けて一対設けられている。
【００２０】
このような構成とすることで、より安定した着用感の実現することができ、また、より効果的にマスクの短辺と頬との間の隙間を減少させることが可能となる。
【００２１】
本考案の好ましい形態では、前記押圧部材は、可撓性の板状体であり、その端部が折曲げられることで、折曲げ部が設けられ、前記折曲げ部は、前記第二構成体に向かって傾斜して設けられている。
【００２２】
このような構成とすることで、押圧部材を簡易に構成することができ、製造性が向上すると共に、折曲げ部の角度を適宜調整することで、容易に押圧部材による押圧力を調整することが可能となる。
【００２３】
本考案の好ましい形態では、前記折曲げ部の曲げ角度は、鋭角である。
【００２４】
このような構成とすることで、押圧部材による押圧力が、より強力となり、マスクの短辺と頬とがより密着する。
【００２５】
本考案の好ましい形態では、前記第一構成体と前記第二構成体との対向状態を保持する保持手段を備える。
【００２６】
このような構成とすることで、マスクを、第一構成体と第二構成体との間に安定的に配置しておくことが可能となる。
【００２７】
本考案の好ましい形態では、前記保持手段は、スナップボタンである。
【００２８】
このような構成とすることで、第一構成体と第二構成体との対向状態の解消や、再度対向状態とする作業が容易となり、本マスクカバーの利便性が向上する。
【００２９】
本考案の好ましい形態では、前記押圧部材は、前記保持手段に取付けられている。
【００３０】
このような構成とすることで、押圧部材を簡易な構成で第一構成体に設けることができ、本マスクカバーの製造性が向上する。
【考案の効果】
【００３１】
本考案によれば、安定した着用状態で、より衛生面を向上させることが可能なマスクカバーを提供することができる。
【図面の簡単な説明】
【００３２】
【図１】本考案の実施形態に係るマスクカバーを示す図であって、（ａ）概略斜視図、（ｂ）正面図である。
【図２】本考案の実施形態に係るマスクカバーを示す図であって、（ａ）第一構成体と前記第二構成体とを対向させた際の正面図、（ｂ）（ａ）におけるＡＡ´線拡大断面図である。
【図３】本考案の実施形態に係るマスクカバーをマスクに取付ける際の説明図である。
【図４】本考案の実施形態に係るマスクカバーをマスクに取付けた状態を示す図であって、（ａ）正面図、（ｂ）背面図である。
【図５】本考案の実施形態に係るマスクカバーの使用態様を示す図である。
【考案を実施するための形態】
【００３３】
以下、図面を用いて、本考案の実施形態に係るマスクカバーについて説明する。
なお、以下に示す実施形態は本考案の一例であり、本考案を以下の実施形態に限定するものではない。また、これらの図において、符号１は、本実施形態に係るマスクカバーを示す。また、これらの図において、細点線は、縫い目を示している。
【００３４】
図１に示すように、マスクＭ（図３参照）の両面を覆って設けられるマスクカバー１は、マスクＭの表面を覆う第一構成体１１と、第一構成体１１に連接され、マスクＭの裏面を覆うことで第一構成体１１と対向する第二構成体１２と、を備えている。
なお、図１において、第一構成体１１及び第二構成体１２それぞれの裏面が示されている。
【００３５】
第一構成体１１は、略長方形状の布生地により概略構成され、その長辺方向中央部から短辺方向に沿って折りマチが形成されることで、図１において奥側に突出する山なりの立体形状を呈している。
【００３６】
第二構成体１２は、第一構成体１１と同様に、略長方形状の布生地により概略構成され、折りマチにより、図１において手前側に突出する山なりの立体形状を呈している。
【００３７】
また、マスクカバー１には、第一構成体１１と第二構成体１２との一長辺同士が縫合されることで、連接部ｊが形成され、第一構成体１１と第二構成体１２とは、この連接部ｊを軸に、互いに対向させて折り畳み可能に構成されている。
【００３８】
第一構成体１１について詳述すれば、第一構成体１１は、その裏面に、マスクＭを第二構成体１２に向かって押圧する、押圧部材Ｐを有する。
また、第一構成体１１は、その裏面に、雄スナップボタンＲ１を有する。
【００３９】
押圧部材Ｐは、略長方形状に構成された可撓性の板状体であり、第一構成体１１の長辺方向、即ち、マスクＭを取付けた際のマスクＭの長辺方向に間隔を空けて一対設けられている。
なお、押圧部材Ｐは、例えば、下敷き等に用いられるアクリル等のプラスチック製薄板材が、好適に用いられる。また、本実施形態において、押圧部材Ｐは、上記したアクリル等のプラスチック製薄板材で構成されることで、半透明となされている。
【００４０】
押圧部材Ｐの配置態様について詳述すれば、押圧部材Ｐは、第一構成体１１の短辺寄りに、且つ第一構成体１１の短辺方向に沿って延びるように設けられ、マスクＭの短辺全長以上の長さとなるように構成されている。
【００４１】
押圧部材Ｐの構造について詳述すれば、押圧部材Ｐには、その長辺側の端部が折曲げられることで、折曲げ部Ｐ１が設けられている。
【００４２】
雄スナップボタンＲ１は、第一構成体１１の各短辺寄りに、短辺方向に間隔を空けて２つずつ設けられている。
【００４３】
第二構成体１２について詳述すれば、第二構成体１２は、その裏面に、雌スナップボタンＲ２を有する。
【００４４】
雌スナップボタンＲ２は、各雄スナップボタンＲ１対して篏合可能となるように、第二構成体１２の各短辺寄りに、短辺方向に間隔を空けて２つずつ設けられている。
【００４５】
雄スナップボタンＲ１と雌スナップボタンＲ２とにより、第一構成体１１と第二構成体１２との対向状態を保持する保持手段Ｒが構成されている。
なお、保持手段Ｒは、スナップボタンに限られず、例えば面ファスナーやマグネットシート等であっても良い。
【００４６】
図２（ａ）は、第一構成体１１と第二構成体１２とを、折り畳むことで対向させ、各雄スナップボタンＲ１と各雌スナップボタンＲ２とを篏合させた際の正面図である。
【００４７】
第一構成体１１と第二構成体１２とは、上記の通り、折りマチによる立体形状を呈していることで、折り畳んだ際に互いの突出方向が同一となり、第一構成体１１の裏面と第二構成体１２の表面とが適合し、綺麗に重ね合わされる。
【００４８】
図２（ｂ）に示すように、折曲げ部Ｐ１は、押圧部材Ｐにおいて、第一構成体１１の内側に位置する長辺側の端部が、曲げ角度θが鋭角となるように折曲げられることで、断面レ字状に形成されている。
また、これにより、折曲げ部Ｐ１は、第二構成体１２に向かって傾斜して設けられている。
【００４９】
また、各押圧部材Ｐは、各雄スナップボタンＲ１に取付けられている。
即ち、図２（ｂ）に示すように、各雄スナップボタンＲ１の各軸部Ｒ１ａが、各押圧部材Ｐを貫通することで、各押圧部材Ｐと各雄スナップボタンＲ１（本実施形態においては、１つの押圧部材Ｐに対して２つの雄スナップボタンＲ１）とが、一体となって構成されている。
【００５０】
図３に示すように、マスクカバー１を使用する際には、マスクＭの表面を第一構成体１１の裏面に当接させ（矢印ｐ１）、第一構成体１１と第二構成体１２とを、折り畳むことで対向させる（矢印ｐ２）。そして、各雄スナップボタンＲ１と各雌スナップボタンＲ２とを篏合させることで、図４に示す状態となる。
なお、マスクＭは、各短辺に弾性体の耳紐部Ｍ１が設けられた、一般的な所謂サージカルマスクである。
【００５１】
このとき、各押圧部材Ｐの各折曲げ部Ｐ１の端辺は、マスクＭの各短辺に当接した状態となる。
また、マスクカバー１の各短辺に設けられた２つの保持手段Ｒの間から、各耳紐部Ｍ１が突出した状態となる。
【００５２】
図５は、図４のようにマスクＭが取付けられたマスクカバー１の、使用態様を示す図である。
なお、図５（ｂ）は、図５（ａ）の状態において、図２（ｂ）と同様の断面線でもって示した拡大断面図である。
【００５３】
図５（ａ）に示すように、着用者Ｘの両耳Ｅに各耳紐部Ｍ１を係止させることで、マスクＭが取付けられたマスクカバー１が、着用者Ｘの顔Ｆを覆って装着される。
【００５４】
図５（ｂ）に示すように、マスクＭが、各保持手段Ｒが篏合された状態で、第一構成体１１と第二構成体１２との間に配置されることで、各折曲げ部Ｐ１は、マスクＭの厚みにより、第一構成体１１側に押圧される（矢印ｋ１）。このとき、この押圧に対する反発力（矢印ｋ２）が発生する。
【００５５】
即ち、この反発力が、各押圧部材Ｐの押圧力となり、この押圧力でもって、各折曲げ部Ｐ１と、顔Ｆの特に頬部Ｆ１と、によりマスクＭ（及び第二構成体１２）を挟持する態様となる。
ここで、各折曲げ部Ｐ１は、上記の通り、マスクＭの短辺方向に沿って延びるように設けられていることから、マスクＭの両短辺全長と頬部Ｆ１とが密着することとなる。
【００５６】
本実施形態によれば、押圧部材Ｐにより、マスクＭが第二構成体１２に向かって押圧されることで、マスクＭが、着用者Ｘの顔Ｆに押圧されることとなる。これにより、着用者Ｘの顔ＦとマスクＭとの間の隙間が少なくなり、押圧による安定した着用感と共に、衛生面が向上する。
【００５７】
また、押圧部材ＰがマスクＭの短辺寄りに設けられていることで、押圧部材ＰがマスクＭの短辺を押圧し、着用時に最もたわむマスクＭの短辺を頬に密着させ隙間を少なくすることができ、より衛生面が向上させることが可能となる。
【００５８】
また、押圧部材ＰがマスクＭの短辺方向に沿って延びるように設けられていることで、より効果的にマスクＭの短辺と頬との間の隙間を減少させることが可能となる。
【００５９】
また、押圧部材ＰがマスクＭの長辺方向に間隔を空けて一対設けられていることで、より安定した着用感の実現することができ、また、より効果的にマスクＭの短辺と頬との間の隙間を減少させることが可能となる。
【００６０】
また、押圧部材Ｐが、可撓性の板状体であり、折曲げ部Ｐ１が設けられていることで、押圧部材Ｐを簡易に構成することができ、製造性が向上すると共に、折曲げ部Ｐ１の角度を適宜調整することで、容易に押圧部材Ｐによる押圧力を調整することが可能となる。
【００６１】
また、折曲げ部Ｐ１の曲げ角度が鋭角であることで、押圧部材Ｐによる押圧力が、より強力となり、マスクＭの短辺と頬とがより密着する。
【００６２】
また、第一構成体１１と第二構成体１２との対向状態を保持する保持手段Ｒを備えることで、マスクＭを、第一構成体１１と第二構成体１２との間に安定的に配置しておくことが可能となる。
【００６３】
また、保持手段Ｒがスナップボタン（雄スナップボタンＲ１及び雌スナップボタンＲ２）であることで、第一構成体１１と第二構成体１２との対向状態の解消や、再度対向状態とする作業が容易となり、マスクカバー１の利便性が向上する。
【００６４】
また、押圧部材Ｐが保持手段Ｒに取付けられていることで、押圧部材Ｐを簡易な構成で第一構成体１１に設けることができ、マスクカバー１の製造性が向上する。
【００６５】
なお、上述の実施形態において示した各構成部材の諸形状や寸法等は一例であって、設計要求等に基づき種々変更可能である。
【符号の説明】
【００６６】
１    マスクカバー
１１  第一構成体
１２  第二構成体
ｊ    連接部
Ｐ    押圧部材
Ｐ１  折曲げ部
Ｒ    保持手段
Ｒ１  雄スナップボタン
Ｒ２  雌スナップボタン
Ｍ    マスク
Ｍ１  耳紐部
Ｘ    着用者
Ｆ    顔
Ｆ１  頬部
Ｅ    耳
【図１】
0003227953.tif 000003
【図２】
0003227953.tif 000004
【図３】
0003227953.tif 000005
【図４】
0003227953.tif 000006
【図５】
0003227953.tif 000007